(57)【特許請求の範囲】
【請求項１】
収容物品を取り出すための開口部が形成された容器本体と、
この容器本体に蝶番を介して取り付けられ、前記開口部を開閉し得る開閉蓋と、
この開閉蓋および前記容器本体に跨がって配される金属製のばね線材からなり、当該開閉蓋が開かれるように付勢するばね部材と、
前記容器本体および前記開閉蓋に設けられ、前記ばね部材によるばね力に抗して当該開閉蓋を閉止状態に保持するためのロック手段と、
前記容器本体に取り付けられ、前記ロック手段による前記開閉蓋の閉止状態を解除するためのロック解除手段と、
前記開閉蓋または前記容器本体に形成されて前記ばね部材を保持すると共に前記ばね部材の両端を外部に対して被覆する被覆部と
を具え、前記ばね部材の一端が前記被覆部に収容されると共に前記ばね部材の他端側が途中で折り返されてその他端が前記被覆部に収容されることを特徴とする蓋付き容器。
【請求項２】
前記ばね部材がねじりコイルばねであり、単一の前記被覆部が形成されていることを特徴とする請求項１に記載の蓋付き容器。
【請求項３】
前記ばね部材がトーションばねであり、２つの前記被覆部が形成されていることを特徴とする請求項１に記載の蓋付き容器。
【請求項４】
前記ロック手段が係止凹部とこの係止凹部に係止し得る係止爪部とを有し、これら係止凹部および係止爪部の少なくとも一方が弾性変形可能であることを特徴とする請求項１から請求項３の何れかに記載の蓋付き容器。
【発明の詳細な説明】
【技術分野】
【０００１】
本発明は、ばね部材を用いて開口部を開放し得る蓋付きの容器に関する。
【背景技術】
【０００２】
ウェットティシュなどの家庭用薄葉紙を収容するための恒久的な容器として、特許文献１に開示されているように、ばね部材を用いて開口部を開放し得る蓋付きの容器が知られている。
【０００３】
このような蓋付きの容器においては、容器本体と、この容器本体に蝶番を介して取り付けられた開閉蓋との間にねじりコイルばねを組み込み、このねじりコイルはねのばね力によって開閉蓋が常に開くような付勢力を与えている。また、容器本体と開閉蓋とに開閉蓋を閉止状態に保持するためのロック機構を組み込み、このロック機構を解除するロック解除機構を容器本体に組み込んでいる。ロック機構が開閉蓋を閉止状態に保持している状態において、ロック解除機構を操作することによりロック機構が解除され、ねじりコイルばねのばね力によって開閉蓋が自動的に開放状態となる。
【先行技術文献】
【特許文献】
【０００４】
【特許文献１】特開２００８−１０５７４６号公報
【発明の概要】
【発明が解決しようとする課題】
【０００５】
特許文献１に開示された蓋付き容器に組み込まれるねじりコイルばねは、通常、金属製のばね線材などから作られている。このため、このねじりコイルばねの端部が蓋付き容器の外部に露出していると、使用者が使用中などでねじりコイルばねの端部に不用意に触れてしまう可能性がある。特に、開閉蓋に過大な力が作用して開閉蓋が外れてしまった場合、このような可能性が顕著となる。
【０００６】
［発明の目的］
本発明の目的は、使用者が使用中などでねじりコイルばねなどのばね部材の端部に不用意に触れることのない蓋付き容器を提供することにある。
【課題を解決するための手段】
【０００７】
本発明による蓋付き容器は、収容物品を取り出すための開口部が形成された容器本体と、この容器本体に蝶番を介して取り付けられ、前記開口部を開閉し得る開閉蓋と、この開閉蓋および前記容器本体に跨がって配される金属製のばね線材からなり、当該開閉蓋が開かれるように付勢するばね部材と、前記容器本体および前記開閉蓋に設けられ、前記ばね部材によるばね力に抗して当該開閉蓋を閉止状態に保持するためのロック手段と、前記容器本体に取り付けられ、前記ロック手段による前記開閉蓋の閉止状態を解除するためのロック解除手段と、前記開閉蓋または前記容器本体に形成されて前記ばね部材を保持すると共に前記ばね部材の両端を外部に対して被覆する被覆部とを具え、前記ばね部材の一端が前記被覆部に収容されると共に前記ばね部材の他端側が途中で折り返されてその他端が前記被覆部に収容されることを特徴とするものである。
【０００８】
本発明によると、ロック手段により開閉蓋が容器本体の開口部を塞ぐ閉止状態において、ロック解除手段を操作して開閉蓋の閉止状態を解除すると、ばね部材のばね力によって開閉蓋が開放状態となり、開口部からの収容物品の取り出しが可能となる。なお、ばね部材の両端は被覆部に被覆され、外部に対して隔離された状態となっている。
【０００９】
本発明による蓋付き容器において、ばね部材がねじりコイルばねであり、単一の被覆部を形成したものであってよい。あるいは、ばね部材がトーションばねであり、２つの被覆部を形成したものであってよい。
【００１１】
ロック手段が、係止凹部およびこの係止凹部に係止し得る係止爪部を有し、これら係止凹部および係止爪部の少なくとも一方が弾性変形可能であってよい。
【発明の効果】
【００１２】
本発明の蓋付き容器によると、ばね部材を保持すると共にばね部材の両端を外部に対して被覆する被覆部を開閉蓋または容器本体に形成したので、ばね部材の両端を外部に対して被覆した状態にすることができる。このため、使用者が使用中などでばね部材の端部に不用意に触れたりするようなことは起こらない。また、ばね部材が被覆部によって容器本体か、または開閉蓋に保持されるため、容器本体または開閉蓋に対するばね部材の取り付け作業および容器本体に対する開閉蓋の組み付け作業を容易かつ迅速に行うことができる。
【００１３】
しかも、ばね部材の一端を被覆部に収容すると共にばね部材の他端側を途中で折り返してその他端を被覆部に収容しているため、ばね部材の他端に対する接触や引っ掛かりがなくなり、取り扱い時の安全性を高めることができる。特に、ばね部材がねじりコイルばねの場合、ねじりコイルばねのコイル部分の巻数を増やすことにより、ばね力を損なうことなく、より細い線径のばねを用いることが可能となる。
【図面の簡単な説明】
【００１４】
【図１】本発明による蓋付き容器の一実施例の外観を表す立体投影図であり、開閉蓋が開けられた状態を示している。
【図２】図１に示した蓋付き容器を分解した状態の外観を表す立体投影図であり、開閉蓋が閉じられた状態を示している。
【図３】図１に示した蓋付き容器の主要部の断面図であり、開閉蓋が閉じられた状態を示している。
【図４】図１に示した蓋付き容器の主要部の断面図であり、開閉蓋が開けられた状態を示している。
【図５】図４の矢視Ｖ部の抽出拡大断面図である。
【図６】図１に示した実施形態におけるねじりコイルばねの外観を表す立体投影図である。
【図７】ねじりコイルばねの他の実施形態の外観を表す立体投影図である。
【図８】本発明による蓋付き容器の他の一実施形態の外観を表す立体投影図であり、開閉蓋が閉じられた状態を示している。
【図９】図８に示した実施形態体の外観を表す平面図であり、開閉蓋が開かれた状態を示している。
【図１０】開閉蓋およびトーションばねを分解した状態の図８に示す実施形態の外観を後方から見た立体投影図である。
【図１１】図９における主要部を抽出した拡大図である。
【発明を実施するための形態】
【００１５】
本発明による蓋付き容器をウェットティシュの収容のために応用した実施形態について、図１〜図１１を参照しながら詳細に説明する。しかしながら、本発明はこれらの実施形態のみに限らず、必要に応じてこれらの構成を置換して組み合わせることができる。また、収容物品に関してはウェットティシュに限らず、開口部から取り出す必要があるものでありさえすれば、任意の収容物品を採用し得る。
【００１６】
ウェットティシュを収容物品として意図した第１の実施形態における蓋付き容器の外観を開閉蓋が開いた状態で図１に示し、その分解状態を開閉蓋が閉じた状態で図２に示し、その断面構造を図３に示す。本実施形態の蓋付き容器１０は、容器本体１１と、開閉蓋１２と、ロック手段１３と、ねじりコイルばね１４と、被覆部１５と、ロック解除レバー１６とを具え、ねじりコイルばね１４を除いてすべて樹脂の成形品にて形成されている。
【００１７】
容器本体１１は、収容物品であるウェットティシュＷが載せられる楕円形状のトレー部１７と、このトレー部１７に載せられたウェットティシュＷを覆うようにトレー部１７に重ね合わされるカバー部１８とを有する。
【００１８】
トレー部１７には、ウェットティシュＷの位置ずれを抑制するための矩形の窪み１７ａと、トレー部１７の外周縁部に沿った溝部１７ｂとが形成されている。また、溝部１７ｂの外側壁には、対向する内側壁の方に突出する突起部１７ｃが溝部１７ｂの全周に亙って形成されている。
【００１９】
トレー部１７に対応した楕円のドーム形状を有するカバー部１８の下端には、トレー部１７の溝部１７ｂに差し込まれる嵌合部１８ａと、この嵌合部１８ａから径方向外側に突出してトレー部１７の突起部１７ｃに係止し得る係止突起１８ｂとが形成されている。カバー部１８の嵌合部１８ａをトレー部１７の溝部１７ｂに差し込んだ状態では、トレー部１７の溝部１７ｂに形成された突起部１７ｃがカバー部１８の嵌合部１８ａに形成された係止突起１８ｂに係止する。この結果、比較的大きな外力を加えない限り、トレー部１７からカバー部１８が抜け外れないようになっている。つまり、トレー部１７およびカバー部１８は共に弾性変形可能であり、ウェットティシュＷを補給するためのトレー部１７に対してカバー部１８を取り外す必要がある場合には、比較的大きな力を加えることにより、これらの係合状態を解除することができる。このため、トレー部１７の長径方向（図２中、左右方向）に沿ったこれらの両端部には、カバー部１８からトレー部１７を外すための操作を容易にするための指掛け部１７ｄがそれぞれ突設されている。
【００２０】
一方、カバー部１８の上端部には、後述する開閉蓋１２がかぶせられる平坦凹部１８ｃと、開閉蓋１２の基端部を連結するための蓋連結凹部１８ｄと、後述するロック解除レバー１６を収容するレバー収容凹部１８ｅとが形成されている。蓋連結凹部１８ｄとレバー収容凹部１８ｅとは、窪み１７ａを挟んでカバー部１８の短径方向（図３中、左右方向）に沿って配されている。平坦凹部１８ｃにはウェットティシュＷを取り出すための亜鈴形状をなす開口部１１ａが形成されている。この平坦凹部１８ｃとレバー収容凹部１８ｅとの境界部分には、後述するロック手段１３の係止爪部１３ａが上向きに突設されている。
【００２１】
開閉蓋１２を開けた状態の断面構造を図４に示し、その矢視Ｖ部を抽出拡大して図５に示し、ねじりコイルばね１４の外観を図６に示す。容器本体１１の開口部１１ａを開閉し得る本実施形態における開閉蓋１２は、楕円のドーム形状を有する。この開閉蓋１２は、容器本体１１のカバー部１８に連結される蓋本体１９と、この蓋本体１９に重ね合わせた状態で一体的に結合されるほぼ平坦な蓋板部２０とを有する。
【００２２】
蓋本体１９の基端部（図３中、左端部）には、カバー部１８の蓋連結凹部１８ｄに配される連結部１２ａが突設されており、この連結部１２ａの左右両側面には、一直線状に延在する一対のピン２１ａが相互に逆向きに突設されている。これら一対のピン２１ａに対応し、カバー部１８の蓋連結凹部１８ｄの左右の側壁には、これら一対のピン２１ａを回動自在に枢支する一対のピン孔２１ｂが形成されている。カバー部１８と開閉蓋１２との連結、つまりピン孔２１ｂに対するピン２１ａの嵌合は、これらカバー部１８および蓋本体１９を構成する樹脂材料自体の弾性変形を利用した圧入操作により行われる。これら一対のピン２１ａおよびピン孔２１ｂが本発明の蝶番２１として機能し、この蝶番２１を介して開閉蓋１２が容器本体１１に取り付けられた状態となる。蓋本体１９の内側端縁部には、蓋板部２０を嵌合保持するための係止突起１９ａが所定間隔で複数形成されている。また、連結部１２ａと反対側の蓋本体１９の内側端部には、カバー部１８に形成されたロック手段１３の係止爪部１３ａが係止し得る係止凹部１３ｂを画成した係止部１３ｃが形成されている。つまり、蓋本体１９の係止部１３ｃおよびカバー部１８の係止爪部１３ａが本発明におけるロック手段１３として機能し、これらが係合し合うことにより、後述するねじりコイルばね１４によるばね力に抗して開閉蓋１２を閉止状態に保持する。これら係止凹部１３ｂおよび係止爪部１３ａの少なくとも一方が弾性変形可能となっており、適当な外力を加えることによってこれらの係合および係合解除を行うことができる。
【００２３】
ねじりコイルばね１４が取り付けられる蓋板部２０は、その外周縁部に蓋本体１９の係止突起１９ａに対応する複数の突起受け２０ａが所定間隔で形成されている。これら突起受け２０ａに蓋本体１９の係止突起１９ａがそれぞれ圧入状態で係合し、蓋本体１９と蓋板部２０とが一体化されるようになっている。また、蓋本体１９の係止部１３ｃの係止凹部１３ｂにカバー部１８の係止爪部１３ａが係合可能となるように、蓋板部２０には係止爪部１３ａとの干渉を回避するための逃げ部２０ｂが形成されている。この逃げ部２０ｂと反対側の端部には、蓋本体１９の連結部１２ａに配される被覆部１５が形成され、この被覆部１５の内側に形成された空隙２２に本発明におけるばね部材としてのねじりコイルばね１４が収容保持されている。金属製のばね線材からなるねじりコイルばね１４は、その一端側が被覆部１５内に固定され、その他端側が被覆部１５に形成されたスリット状の逃げ部１５ａから外部に突出した状態となっている。ただし、逃げ部１５ａから外部に露出するねじりコイルばね１４の他端側は、その他端が被覆部１５の空隙２２に収容されるように、途中でねじりコイルばね１４の軸線（図５中、紙面に対して垂直な方向に延在する）と平行な軸線回りにループ状に折り返されている。つまり、ねじりコイルばね１４の両端は、被覆部１５によって外部に対して被覆された状態となっているが、本実施形態では、ねじりコイルばね１４の他端をねじりコイルばね１４のコイル部の内側に位置するようにさらに折り曲げている。また、ループ状の折り返し部１４ａを含むねじりコイルばね１４の他端部を蝶番２１の回転軸線に対して垂直な平面内に配することにより、逃げ部１５ａの幅を最少にすることができる。ループ状の折り返し部１４ａは、カバー部１８の蓋連結凹部１８ｄに形成されたばね受け斜面２３に押し当たり、開閉蓋１２が開くようなばね力を常時付勢する。逃げ部１５ａは、ねじりコイルばね１４の折り返し部１４ａに対し、開閉蓋１２の開閉動作に伴う被覆部１５の干渉を回避するためのものであり、開閉蓋１２の開閉動作に伴って逃げ部１５ａに対する折り返し部１４ａの相対位置が変化し得るようになっている。
【００２４】
本実施形態では、ねじりコイルばね１４の折り返し部１４ａをコイル部のつる巻き方向と同じ方向に曲げることよって形成したが、逆方向に曲げて折り返し部１４ａを形成することも可能である。このようなねじりコイルばね１４の他の実施形態の外観を７図に示すが、同じ機能を持つ部分に対しては、同じ符号を記してある。この他、ばね受け斜面２３と平行となるように折り返し部１４ａを形成することも可能であり、何れの場合においてもねじりコイルばね１４の他端が被覆部１５内に収容されるようにしなければならない。
【００２５】
このように、ねじりコイルばね１４の端部が外部に露出しておらず、ループ状の折り返し部１４ａが逃げ部１５ａから突出しているだけなので、ねじりコイルばね１４の端部が引っかかったりするような不具合が全く起こらない。このため、カバー部１８の蓋連結凹部１８ｄに対して開閉蓋１２を容易かつ安全に取り付けることができる。
【００２６】
なお、本実施形態における被覆部１５は、セルフヒンジ１５ｂによって折り返し可能な保護部１５ｃを有している。ねじりコイルばね１４を蓋板部２０に組み付ける際、ねじりコイルばね１４を被覆部１５に装着した後、この保護部１５ｃを折り返し、その先端部分を蓋板部２０に超音波溶接などで融着するようにしている。これにより、ループ状の折り返し部１４ａ以外のねじりコイルばね１４の部分を外部から見えなくすることができる。
【００２７】
ロック手段１３による開閉蓋１２の閉止状態を解除するための本発明のロック解除手段としてのロック解除レバー１６は、カバー部１８のレバー収容凹部１８ｅに配される。このロック解除レバー１６の左右両側面には、一直線状に延在する一対のピン１６ａが相互に逆向きに突設されている。これら一対のピン１６ａに対応し、カバー部１８のレバー収容凹部１８ｅの左右の側壁には、これら一対のピン１６ａを回動自在に枢支する一対のピン孔１８ｆが形成されている。カバー部１８とロック解除レバー１６との連結、つまりピン孔１８ｆに対するピン１６ａの嵌合は、これらカバー部１８およびロック解除レバー１６を構成する樹脂材料自体の弾性変形を利用した圧入操作により行われる。これにより、ロック解除レバー１６は、一対のピン１６ａを中心としてカバー部１８に対して図２に示すロック保持位置と、図１に示すロック解除位置との間を回動自在に枢支された状態となっている。
【００２８】
開閉蓋１２の閉止状態においては、ロック解除レバー１６の先端部がレバー収容凹部１８ｅから浮き上がっているのに対し、その基端部は開閉蓋１２の蓋板部２０の先端部分に近接したロック保持位置にある（図３参照）。この状態からロック解除レバー１６の先端部をロック解除位置へと押し下げると、ロック解除レバー１６の基端部が開閉蓋１２の先端部分を押し上げ、これによってロック手段１３のロック状態が解除される。すなわち、カバー部１８の係止爪部１３ａに対する蓋本体１９の係止部１３ｃの係合が外れる。この結果、ねじりコイルばね１４のばね力によって開閉蓋１２が図５に示すように開放状態となり、カバー部１８の開口部１１ａからウェットティシュＷを引き出すことが可能となる（図５参照）。何からの強い外力が開閉蓋１２に加わり、開閉蓋１２がこじられてカバー部１８から開閉蓋１２が外れてしまった場合であっても、ねじりコイルばね１４は、ループ状をなす折り返し部分のみが被覆部１５の逃げ部１５ａから外部に突出しているだけである。このため、開閉蓋１２に過大な外力が作用してカバー部１８から開閉蓋１２が外れたとしても、被覆部１５によってねじりコイルばね１４の両端の被覆状態が維持される。結果として、使用者がねじりコイルばね１４の両端に不用意に触れてしまうことがなく、極めて安全性に優れている。
【００２９】
逆に、ねじりコイルばね１４のばね力に抗して開閉蓋１２を閉じ、蓋本体１９の係止部１３ｃにカバー部１８の係止爪部１３ａを係合させると、ロック解除レバー１６の先端部もロック解除位置から先のロック保持位置へと回動する。このように、本実施形態では開閉蓋１２の閉止動作に連動してロック解除レバー１６をロック保持位置へと自動的に回動させることができるようにしている。このため、カバー部１８の係止爪部１３ａの位置に対するロック解除レバー１６のピン１６ａの位置と、ロック保持位置における開閉蓋１２の先端部に対するロック解除レバー１６の基端部の当接位置とを適切に設定する必要がある。
【００３０】
上述した実施形態では、ねじりコイルばね１４を開閉蓋１２に組み込んだ実施形態について説明したが、ねじりコイルばね１４に代えてトーションばねを用いることも可能である。このような本発明による蓋付き容器の他の実施形態の外観を図８に示し、その開閉蓋を開いた状態の外観を図９に示し、開閉蓋およびトーションばねを分解した状態の外観を図１０に示し、図９の主要部を抽出拡大して図１１に示す。なお、これらの図８〜図１１において、先の実施形態と同一機能の要素にはこれと同一符号を記すに止め、重複する説明を省略するが、その基本的な構成に関しては特開２００５−１０４５３６号公報に記載のものとほぼ同様である。
【００３１】
板紙で形成された容器本体１１の上端面に形成された図示しない矩形の開口部には、樹脂製の枠状をなすフレーム２４が嵌め込まれて一体的に接合されている。本実施形態では、このフレーム２４で囲まれた領域が本発明における開口部１１ａを構成し、ここに樹脂製の開閉蓋１２が開閉自在に取り付けられる構造となっている。フレーム２４には、図示しないウェットティシュを取り出すための第２の開口部２５ａを形成した樹脂製のカバーフィルム２５が一体的に熱融着され、このカバーフィルム２５がフレーム２４に取り囲まれた状態となっている。カバーフィルム２５には、このカバーフィルム２５に対し繰り返して剥離可能な図示しない粘着層を形成したシールフィルム２６の長手方向一端部が接合されている。従って、粘着層の粘着力に抗してシールフィルム２６の他端側をカバーフィルム２５から剥離することにより、開口部２５ａからウェットティシュを取り出すことができる。また、粘着層の粘着力を利用して再びシールフィルム２６をカバーフィルム２５に接合することにより、開口部２５ａを完全に閉止してウェットティシュに含まれる揮発成分の蒸発を抑制することができる。このように、本実施形態ではウェットティシュを取り出すために二重の開口部１１ａ，２５ａを形成しているが、容器本体１１内の高い保湿性を確保する必要性がない場合、カバーフィルム２５やシールフィルム２６を省略してもよい。
【００３２】
樹脂製の開閉蓋１２の基端部に形成された連結部１２ａの左右両側端から突出する一対のピン２１ａは、フレーム２４の後端部に形成されたピン孔２１ｂに対して圧入状態で嵌合されている。これらピン２１ａおよびピン孔２１ｂは、フレーム２４に対して開閉蓋１２を回動自在に連結する蝶番２１を構成する。また、開閉蓋１２の連結部１２ａの中央には、トーションばね２７の長手方向中央部に形成された第１連結部２７ａが差し込まれてこれを収容する結合部２８が開閉蓋１２と一体に形成されている。結合部２８は、その左右両端部が開閉蓋１２の表面に接合され、中間部分がトーションばね２７の第１連結部２７ａを貫通状態で保持するスリット状の開口２８ａとなっている。
【００３３】
同様な左右一対の被覆部２９がフレーム２４の後端部の左右両側にフレーム２４と一体に形成されている。これら左右一対の被覆部２９は、これらの中間部分がトーションばね２７の左右両端部に形成された第２連結部２７ｂをそれぞれ収容するスリット状の開口２９ａとなっている。
【００３４】
本実施形態におけるトーションばね２７は、一対のピン孔２１ｂの対向方向に沿って一直線状に延在するねじれ部２７ｃと、このねじれ部２７ｃに対して直角に延在する複数の連結部２７ａ，２７ｂとを有する。また、これら連結部２７ａ，２７ｂは、ねじれ部２７ｃの長手方向中央部に形成された第１連結部２７ａと、この第１連結部２７ａと逆向きとなるように、ねじれ部２７ｃの両端部に形成された一対の第２連結部２７ｂとを含む。第１連結部２７ａは、開閉蓋１２の結合部２８に収容保持されてトーションばね２７と開閉蓋１２とを連結し、一対の第２連結部２７ｂはフレーム２４に形成された一対の被覆部２９に収容保持されてトーションばね２７とフレーム２４とを連結する。この場合、フレーム２４に連結されたトーションばね２７の両端は、一対の被覆部２９によって外部から見えない状態となっている。従って、ウェットティシュを容器本体１１の開口部２５ａから取り出す際に、トーションばね２７の両端が人に触れるようなことは起こらない。トーションばね２７は、その無負荷状態において、第１および第２の連結部２７ａ，２７ｂおよびねじれ部２７ｃがほぼ同一平面上となるように、トーションばね２７を構成するばね線材の折り曲げ方向が規定されている。従って、トーションばね２７の第１および第２連結部２７ａ，２７ｂが結合部２８および被覆部２９に差し込まれた状態において、トーションばね２７は開閉蓋１２が開くようなばね力を開閉蓋１２に与える。
【００３５】
なお、本実施形態では被覆部２９に装着した後のトーションばね２７の第２連結部２７ｂが被覆部２９から抜け外れないように配慮している。具体的には、第２連結部２７ｂの幅寸法よりも開口２９ａの幅寸法を僅かに小さく形成し、装着時にここを通過した後の第２連結部２７ｂがばね力によって元の自由状態に戻った場合、その末端が係止し得る段部２９ｂを開口２９ａに臨むように形成してある。
【００３６】
開閉蓋１２を閉止状態に保持するためのロック手段１３は、開閉蓋１２の先端中央に突設された係止爪部１３ａと、ロック解除レバー１６の基端部に形成されて係止爪部１３ａに係止し得る係止凹部１３ｂとを含む。ロック解除レバー１６は、図示しないセルフヒンジを介してフレーム２４の前端中央部に一体的に形成され、これを押し下げることによって係止凹部１３ｂに対する係止爪部１３ａの係合が解除され、トーションばね２７のばね力によって開閉蓋１２が開放状態となる。逆に、トーションばね２７のばね力に抗して開閉蓋１２を閉止状態へと回動させると、開閉蓋１２に形成された係止爪部１３ａがロック解除レバー１６の係止凹部１３ｂに係止し、開閉蓋１２の閉止状態が保持される。
【００３７】
このように、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００３８】
Ｗ  ウェットティシュ
１０  蓋付き容器
１１  容器本体
１１ａ  開口部
１２  開閉蓋
１２ａ  連結部
１３  ロック手段
１３ａ  係止爪部
１３ｂ  係止凹部
１３ｃ  係止部
１４  ねじりコイルばね
１４ａ  折り返し部
１５  被覆部
１５ａ  逃げ部
１５ｂ  セルフヒンジ
１５ｃ  保護部
１６  ロック解除レバー
１６ａ  ピン
１７  トレー部
１７ａ  窪み
１７ｂ  溝部
１７ｃ  突起部
１７ｄ  指掛け部
１８  カバー部
１８ａ  嵌合部
１８ｂ  係止突起
１８ｃ  平坦凹部
１８ｄ  蓋連結凹部
１８ｅ  レバー収容凹部
１８ｆ  ピン孔
１９  蓋本体
１９ａ  係止突起
２０  蓋板部
２０ａ  突起受け
２０ｂ  逃げ部
２１  蝶番
２１ａ  ピン
２１ｂ  ピン孔
２２  空隙
２３  ばね受け斜面
２４  フレーム
２５  カバーフィルム
２５ａ  開口部
２６  シールフィルム
２７  トーションばね
２７ａ  第１連結部
２７ｂ  第２連結部
２７ｃ  ねじれ部
２８  結合部
２９  被覆部
２８ａ，２９ａ  開口
２９ｂ  段部
【図１】
0005413316.tif 000002
【図２】
0005413316.tif 000003
【図３】
0005413316.tif 000004
【図４】
0005413316.tif 000005
【図５】
0005413316.tif 000006
【図６】
0005413316.tif 000007
【図７】
0005413316.tif 000008
【図８】
0005413316.tif 000009
【図９】
0005413316.tif 000010
【図１０】
0005413316.tif 000011
【図１１】
0005413316.tif 000012